(57)【要約】【課題】基板側コネクタへのハーネス側コネクタの脱着を、封止を破らなければ行うことができないように構成して、基板側コネクタへの不正部品の接続を効果的に防止できる遊技機を提供する。【解決手段】ケース本体８１とケース蓋体８２とで開閉可能に構成され且つ内部に基板３１を格納可能な基板ケース３２とを備え、ケース蓋体８２には、基板側コネクタ５９に対応する開口状のコネクタ孔１０６が形成され、ハーネス側コネクタ１０７をコネクタ孔１０６を介して基板側コネクタ５９に接続可能に構成された遊技機で、基板ケース３２は、コネクタ孔１０６をハーネス側コネクタ１０７の外側から覆うコネクタカバー８３と、このコネクタカバー８３を、ケース蓋体８２側の封止開口部１１０を介してケース本体８１側に封止する封止手段とを備えたものである。【選択図】図４
2010057975.tif 000002
【特許請求の範囲】
【請求項１】
ケース本体（８１）とケース蓋体（８２）とで開閉可能に構成され且つ内部に基板（３１）を格納可能な基板ケース（３２）と、前記ケース本体（８１）と前記ケース蓋体（８２）とを閉鎖状態で封止するケース側封止手段（８６）とを備え、前記ケース蓋体（８２）には、前記基板（３１）側に設けられた基板側コネクタ（５９）に対応する開口状のコネクタ孔（１０６）が形成され、所定のハーネス（５８）に設けられたハーネス側コネクタ（１０７）を前記コネクタ孔（１０６）を介して前記基板側コネクタ（５９）に接続可能に構成された遊技機において、前記コネクタ孔（１０６）を前記ハーネス側コネクタ（１０７）の外側から覆うコネクタカバー（８３）と、該コネクタカバー（８３）を、前記基板ケース（３２）側に封止するカバー側封止手段（８６）とを備えたことを特徴とする遊技機。
【請求項２】
前記コネクタカバー（８３）と前記基板ケース（３２）との間に、前記ハーネス（５８）のケーブル部分を引出可能なケーブル引出部（１１１ａ）（１１１ｂ）を備え、該ケーブル引出部（１１１ａ）（１１１ｂ）を、前記基板側コネクタ（５９）に接続されるハーネス側コネクタ（１０７）が通過不能に形成したことを特徴とする請求項１に記載の遊技機。
【請求項３】
前記ケース側封止手段と前記カバー側封止手段とを共通の封止手段（８６）により構成し、該封止手段（８６）を、前記ケース蓋体（８２）に設けられた封止開口部（１１０）を経て前記コネクタカバー（８３）を前記ケース本体（８１）に封止するように構成したことを特徴とする請求項１又は２に記載の遊技機。
【請求項４】
前記ケース側封止手段と前記カバー側封止手段とを別個に設け、前記カバー側封止手段は、前記コネクタカバー（８３）を前記ケース本体（８１）と前記ケース蓋体（８２）との少なくとも一方に封止するように構成したことを特徴とする請求項１又は２に記載の遊技機。
【発明の詳細な説明】
【技術分野】
【０００１】
本発明は、パチンコ機、スロットマシン等の遊技機に係り、詳しくは、ケース本体とケース蓋体とで開閉可能に構成され且つ内部に基板を格納可能な基板ケースと、ケース本体とケース蓋体とを閉鎖状態で封止するケース側封止手段とを備えた遊技機に関するものである。
【背景技術】
【０００２】
パチンコ機等の遊技機では、各種制御基板等が基板ケースに格納された状態で本体裏側等に装着されている。一般的な基板ケースは、ケース本体とケース蓋体とを開閉可能に組み合わせることにより略箱形となるように構成されており、また、ケース蓋体には、内部の基板に設けられた基板側コネクタに対応する開口状のコネクタ孔が形成されており、基板側コネクタへはそのコネクタ孔を介してハーネス側コネクタを接続可能となっている。
【０００３】
また、遊技機の基板ケースには、基板に対する不正防止のための封止手段を備えたものがある。この封止手段は、ケース本体とケース蓋体とを閉鎖状態で現状復帰不能に封止するもので、一旦基板を格納したまま封止してしまうと、その一部の損壊部を損壊して開封の痕跡を残さない限り、基板ケースを開いて内部の基板を取り出すことはできないようになっている（例えば特許文献１）。
【０００４】
ところで、この種の遊技機に対するゴト行為として、基板側コネクタからハーネス側コネクタを取り外し、不正基板等の不正部品を接続するといった行為が問題となっている。
【先行技術文献】
【特許文献】
【０００５】
【特許文献１】特開２００３−３８８０５号公報
【発明の概要】
【発明が解決しようとする課題】
【０００６】
上記のようなゴト行為は、基板ケースを封止したままで行うことができるため、従来の封止手段のみでは対処することはできなかった。
【０００７】
本発明は、上記事情に鑑みてなされたものであり、その目的とするところは、基板側コネクタへのハーネス側コネクタの脱着を、封止を破らなければ行うことができないように構成して、基板側コネクタへの不正部品の接続を効果的に防止できる遊技機を提供することにある。
【課題を解決するための手段】
【０００８】
本発明は、ケース本体８１とケース蓋体８２とで開閉可能に構成され且つ内部に基板３１を格納可能な基板ケース３２と、前記ケース本体８１と前記ケース蓋体８２とを閉鎖状態で封止するケース側封止手段８６とを備え、前記ケース蓋体８２には、前記基板３１側に設けられた基板側コネクタ５９に対応する開口状のコネクタ孔１０６が形成され、所定のハーネス５８に設けられたハーネス側コネクタ１０７を前記コネクタ孔１０６を介して前記基板側コネクタ５９に接続可能に構成された遊技機において、前記基板ケース３２は、前記コネクタ孔１０６を前記ハーネス側コネクタ１０７の外側から覆うコネクタカバー８３と、該コネクタカバー８３を、前記ケース本体８１とケース蓋体８２との少なくとも一方に封止するカバー側封止手段８６とを備えたものである。
【発明の効果】
【０００９】
本発明によれば、カバー側封止手段８６による封止を解いてコネクタカバー８３を取り外さない限り、基板側コネクタ５９からハーネス側コネクタ１０７を抜き取って不正基板等を接続することは不可能であり、基板側コネクタ５９への不正部品の接続を効果的に防止できる。
【図面の簡単な説明】
【００１０】
【図１】本発明の一実施形態を示すパチンコ機の全体正面図である。
【図２】本発明の一実施形態を示す遊技盤の背面図である。
【図３】本発明の一実施形態を示す遊技盤の側面断面図である。
【図４】本発明の一実施形態を示す集球ケース、主制御基板ケース及びコネクタカバーの分解斜視図である。
【図５】本発明の一実施形態を示す主制御基板ケースの背面図である。
【図６】本発明の一実施形態を示すコネクタカバーの背面図である。
【図７】本発明の一実施形態を示す主制御基板ケース及びコネクタカバー近傍の側面断面図である。
【図８】本発明の一実施形態を示す主制御基板ケース及びコネクタカバー近傍の底面断面図である。
【図９】本発明の一実施形態を示す主制御基板ケース及びコネクタカバーの封止手段における側面断面図である。
【図１０】本発明の一実施形態を示す主制御基板ケース及びコネクタカバーの封止手段における底面断面図である。
【図１１】本発明の一実施形態を示す封止手段の分解斜視図である。
【発明を実施するための形態】
【００１１】
以下、本発明の実施形態を図面に基づいて詳述する。図面は本発明をパチンコ機として具現化した実施例を示す。図１において、遊技機本体１は、矩形枠状の外枠２と、この外枠２の前側に配置された前枠３とを備えている。前枠３は左端側の上下一対のヒンジ４を介して外枠２に着脱及び開閉自在に装着されている。
【００１２】
前枠３の上部側には遊技盤５が着脱自在に装着されると共に、遊技盤５の前側にガラス扉６が、ガラス扉６の下側に隣接して前面板７が夫々配置されている。ガラス扉６、前面板７はヒンジ４と同一側のヒンジ（図示省略）により前枠３に開閉自在に枢支されている。前面板７には発射用の遊技球を貯留する上皿８が装着されている。また前枠３の下部には、余剰球を貯留する下皿９と、発射手段１０の発射ハンドル１１とが夫々設けられている。
【００１３】
遊技盤５の前側には、発射手段１０によって発射された遊技球を案内するガイドレール１２が環状に装着されると共に、そのガイドレール１２内の遊技領域１３の上部側に、表示窓１４を有する表示枠１５が装着され、また表示枠１５の下側に特別図柄始動手段１６、大入賞手段１７、普通入賞手段１８等が、表示枠１５の一側方に普通図柄始動手段１９が夫々配置されている。
【００１４】
遊技盤５の裏側には、図２及び図３に示すように、表示枠１５の表示窓１４に対応して配置され且つ固定板２２により遊技盤５に固定された液晶表示パネル２０、この液晶表示パネル２０を固定板２２と共に裏側から覆う保護カバー２３、この保護カバー２３の下側に近接して遊技盤５に固定された集球ケース２４、保護カバー２３の裏側の収容凹部２６内に配置されたドライバ基板２１及び電源インターフェース基板２７、演出制御基板２８を収容し且つ収容凹部２６を裏側から塞ぐように保護カバー２３の裏側に着脱自在に固定された演出制御基板ケース２９、集球ケース２４内に配置された中継基板３０、主制御基板３１を収容し且つ集球ケース２４の裏側に着脱自在に固定された主制御基板ケース３２等が設けられている。
【００１５】
表示枠１５は、遊技盤５の前面側に当接して装着されたベース板３３と、ベース板３３の前面に固定され前側に突出する飾り部３４と、飾り部３４の下部側に形成されたステージ部３５と、ベース板３３、飾り部３４等の内周から後方に屈曲する窓枠部３６と、窓枠部３６の後端側に装着された透明な窓板３７とを備えている。
【００１６】
窓枠部３６は遊技盤５の開口３８に前側から嵌合され、その後端部側が、窓板３７を介して液晶表示パネル２０の表示画像を視認可能な表示窓１４となっている。ステージ部３５は飾り部３４の一側の球入り口３９から入った遊技球をその下側の落下口４０へと案内するためのもので、窓板３７と同様に透明に形成されている。
【００１７】
液晶表示パネル２０は偏平な横長矩形状に構成されており、演出制御基板２８の制御により、ドライバ基板２１を介して駆動され、特別図柄始動手段１６の遊技球の検出を条件に所定時間変動して大当たり図柄、外れ図柄の何れかで停止する１個又は複数個の演出図柄の変動画像、大当たり発生時の演出画像等の各種の画像を表示可能である。
【００１８】
液晶表示パネル２０は、板金製の固定板２２の前面側に装着された状態で、その前面が窓板３７の後側に近接又は当接するように、固定板２２を介して遊技盤５の裏側に固定されている。
【００１９】
保護カバー２３は、前側が開放した背面視略矩形状の箱形に形成されており、その前側を液晶表示パネル２０及び固定板２２で略塞ぐように例えば固定板２２の裏側に着脱自在に固定されている。
【００２０】
保護カバー２３には、その背壁部４１から前向きに固定基部４２が複数突設されており、この固定基部４２が固定板２２の背面側にネジ止め等により着脱自在に固定されている。
【００２１】
また、保護カバー２３には、背壁部４１の上縁部及び左右の側縁部に沿って周壁部４３が後ろ向き突出状に一体形成されており、背壁部４１の後側で且つ周壁部４３により三方を取り囲まれた領域が収容凹部２６となっている。
【００２２】
この収容凹部２６内には、液晶表示パネル２０駆動用の電源インターフェース基板２７とドライバ基板２１とが左右に隣接して配置され、背壁部４１に着脱自在に固定されている。なお、ドライバ基板２１は、収容凹部２６内に収容され且つ背壁部４１に対して着脱自在に固定される基板カバー４４により後側から覆われている。
【００２３】
中継基板３０は、遊技盤５側の特別図柄始動手段１６、大入賞手段１７等の検出スイッチ、ソレノイドその他の電気部品と、演出制御基板２８、主制御基板３１等との接続を中継するためのもので、特別図柄始動手段１６、大入賞手段１７の裏側で保護カバー２３の下側に配置された取り付け台４５に裏側から着脱自在に固定されている。
【００２４】
取り付け台４５は遊技盤５と略平行に配置されており、上側が保護カバー２３の下側の支持台４６に着脱自在に係止され、下側の左右一対の取り付け脚部４７がネジ等の固定具を介して遊技盤５に着脱自在に固定されている。
【００２５】
集球ケース２４は大入賞手段１７、特別図柄始動手段１６、普通入賞手段１８等に入賞して遊技盤５の裏側に通過した遊技球を集めて案内口４８から回収通路（図示省略）側へと案内するためのもので、図４等に示すように、上面側と前面側とが開放した略箱形に形成されており、保護カバー２３の下側に近接して配置され、遊技盤５の裏側に着脱自在に固定されている。
【００２６】
演出制御基板２８は、液晶表示パネル２０に表示される特別遊技図柄を制御する特別図柄表示制御機能、液晶表示パネル２０に表示される各種演出画像を制御する画像演出制御機能、各種表示ランプの点滅等を制御するランプ演出制御機能、スピーカからの音声を制御する音声演出制御機能等を有し、ケース本体５１とケース蓋体５２とで構成される演出制御基板ケース２９内に収容されている。
【００２７】
演出制御基板ケース２９は、保護カバー２３の裏側の基板カバー４４、電源インターフェース基板２７等の後側を覆う覆いを兼用しており、保護カバー２３側の周壁部４３の後端面を取り付け面として、収容凹部２６を後側から略塞ぐように着脱自在に装着されている。
【００２８】
主制御基板（基板）３１は、遊技盤５側の遊技部品による遊技動作を制御する遊技動作制御機能を有し、主制御基板ケース（基板ケース）３２に収容されており、例えば基板ケース装着板６０の裏側に着脱自在に装着されている。主制御基板３１の表面側には、その内側部分にＣＰＵ，ＲＯＭ，ＲＡＭ等の各種電子部品（図示省略）が配置され、また外周側にハーネス５８を接続するための基板側コネクタ５９が複数配置されている。
【００２９】
基板ケース装着板６０は、図４等に示すように、略矩形板状の装着板本体６１と、この装着板本体６１の所定の縁部、例えば後側から見て左側の縁部に沿って配置される中継基板収容部６２と、その中継基板収容部６２とは反対側の縁部、例えば右縁部側に配置される締結つまみ６３とを備え、集球ケース２４の後壁部６４側に形成された開口６５を略塞ぐように、下部側の左右一対のヒンジ手段６６と、上部側の左右一対の係合爪６７とにより、集球ケース２４の裏側に開閉、着脱自在に固定されている。
【００３０】
ヒンジ手段６６は、集球ケース２４の後側下端部に一体に設けられたヒンジピン６８と、基板ケース装着板６０の下端に設けられた前後一組のヒンジ爪６９とを備えている。ヒンジピン６８は上下両側が偏平で、その左右両端が集球ケース２４から後方に突出する突部により一体に連結されている。
【００３１】
前後一組のヒンジ爪６９は、両者でヒンジピン６８を相対回動自在に抱き込むように構成され、また前後一組のヒンジ爪６９の先端側は、その先端側を偏平部分に合わせたときにヒンジピン６８に対して相対的に嵌脱できるようになっている。係合爪６７は集球ケース２４の上端部側の左右両側に設けられ、基板ケース装着板６０を閉状態にしたときに、基板ケース装着板６０に係脱自在に係合するようになっている。
【００３２】
装着板本体６１は、その背面側で且つ中継基板収容部６２と締結つまみ６３との間が主制御基板ケース３２を装着するための基板ケース装着面６１ａとなっており、その基板ケース装着面６１ａの外周部に沿って、主制御基板ケース３２を支持する支持枠７０が後ろ向き所定高さに突設されている。
【００３３】
中継基板収容部６２は、中継基板７１を収容するもので、中継基板７１の外周を取り囲むように装着板本体６１から後ろ向きに突設される周壁部７２と、中継基板７１の後側を略覆うように周壁部７２の後側に着脱自在に装着されるカバー板７３とで構成されている。
【００３４】
周壁部７２には、基板ケース装着面６１ａ側に、主制御基板ケース３２側の係合突部７４が係合可能な係合孔７５が形成されている。また、カバー板７３には、中継基板７１側のコネクタを露出させるためのコネクタ孔７３ａが形成されている。
【００３５】
締結つまみ６３は、装着板本体６１の背面側に回転軸６３ａにより揺動自在に装着されており、主制御基板ケース３２側の被締結部７６に係脱自在に係合可能となっている。
【００３６】
主制御基板ケース３２は、図３〜図８等に示すように、主制御基板３１をその両面側から挟み込んで内部の基板収容部３２ａ内に収容するケース本体８１及びケース蓋体８２と、ケース本体８１とケース蓋体８２とを互いに係脱自在に係止する第１係止手段８４とを備えている。また、この主制御基板ケース３２の後側には、ケース蓋体８２をその後側から略覆うようにコネクタカバー８３が設けられており、第１係止手段８４と同じ主制御基板ケース３２の一端側に設けられ且つケース蓋体８２とコネクタカバー８３とを互いに係脱自在に係止する第２係止手段８５と、主制御基板ケース３２の他端側に設けられる封止手段８６とで主制御基板ケース３２側に固定されている。
【００３７】
ケース本体８１は、略矩形板状の底板９１と、この底板９１の外周に沿って基板収容部３２ａ側に突設される外周枠９２とを一体に備えており、その外周枠９２内に、主制御基板３１がその裏面側を底板９１側に向けた状態で装着されるようになっている。なお、外周枠９２の内側には、主制御基板３１を底板９１から一定の隙間を空けた位置で支持する支持リブ９３が複数設けられている。
【００３８】
また、ケース本体８１には、例えば左端側に基板ケース装着板６０側の係合孔７５に対応する係合突部７４が、右端側に基板ケース装着板６０側の締結つまみ６３に対応する被締結部７６が、夫々外向き突出状に一体形成されている。主制御基板ケース３２を基板ケース装着板６０に装着する際には、ケース本体８１の底面を基板ケース装着板６０の基板ケース装着面６１ａに沿わせつつ係合突部７４を係合孔７５に嵌合させ、更に締結つまみ６３を回して被締結部７６に係合させる。
【００３９】
ケース蓋体８２は、ケース本体８１側が開放する略矩形蓋状であって、ケース本体８１側の底板９１に対向する背壁１０１と、その背壁１０１の外周に沿って基板収容部３２ａ側に突設され且つケース本体８１側の外周枠９２の外側に嵌合する外周壁１０２とを一体に備えている。また、背壁１０１には、主制御基板３１の表面側に設けられた電子部品に対応する内側部分に膨出部１０３が、周辺部の１又は複数箇所、例えば４箇所に凹部１０４ａ〜１０４ｄが夫々形成されている。
【００４０】
本実施形態では、膨出部１０３の上縁部に沿ってその左端側に第１凹部１０４ａ、右端側に第２凹部１０４ｂが夫々設けられ、また膨出部１０３の下縁部に沿って第３凹部１０４ｃと第４凹部１０４ｄとが左右に設けられている。
【００４１】
凹部１０４ａ〜１０４ｄは、背壁１０１側から外周壁１０２に沿ってケース蓋体８２側に凹入し、背壁１０１側と外周壁１０２側の二方向に開放しており、その底面部１０５上に、基板側コネクタ５９が嵌合するコネクタ孔１０６が夫々１又は複数形成されている。基板側コネクタ５９には、ハーネス５８側のハーネス側コネクタ１０７がコネクタ孔１０６を介してケース蓋体８２の外側から着脱自在に結合されるようになっている。
【００４２】
第３凹部１０４ｃと第４凹部１０４ｄとの間には、クリアスイッチ１０８用の操作孔１０８ａが設けられたスイッチケース１０９が、底面部１０５から後ろ向き膨出状に設けられている。クリアスイッチ１０８は、停電時等に主制御基板３１に記憶されたバックアップ情報をクリアするためのもので、主制御基板３１側に設けられており、その先端側の押圧操作部が操作孔１０８ａを介して外部操作可能に露出している。
【００４３】
また、ケース蓋体８２の背壁１０１には、封止手段８６用の封止開口部１１０が形成されている。
【００４４】
なお、主制御基板３１に設けられた全ての基板側コネクタ５９のうち、第１凹部１０４ａのコネクタ孔１０６ａに嵌合するものは、この主制御基板ケース３２に封入されている主制御基板３１が正規のものであるか否かの判断に用いる信号を読み出すための特別読出専用コネクタ５９ａであり、例えば当該パチンコ機が遊技ホールに設置された後の検査時にのみ検査装置のコネクタが接続され、通常は開放されたままとなっている。
【００４５】
第１係止手段８４は、ケース本体８１の一端側、例えば右端側に一体に形成された上下一対のヒンジピン８４ａと、このヒンジピン８４ａに対応してケース蓋体８２の一端側、例えば右端側に一体に形成され且つヒンジピン８４ａに係脱、回動自在に係合する上下一対の係合片８４ｂとで構成されている。
【００４６】
係合片８４ｂは、ケース蓋体８２の右外周壁１０２ａから外向きに突設されており、ケース本体８１側の外周枠９２とヒンジピン８４ａとの間からヒンジピン８４ａに対して係脱自在であり、その係合状態でヒンジピン８４ａを前側から抱き込むように、前側に突出するＵ字状その他の円弧状に湾曲形成されている。
【００４７】
コネクタカバー８３は、特別読出専用コネクタ５９ａが設けられた第１凹部１０４ａを除く凹部１０４ｂ〜１０４ｄを外側から覆うことにより、それら凹部１０４ｂ〜１０４ｄに設けられたコネクタ孔１０６を、基板側コネクタ５９に結合されたハーネス側コネクタ１０７の外側から覆うもので、ケース蓋体８２側の背壁１０１の後側に平行に配置され且つ凹部１０４ｂ〜１０４ｄを後側から覆う背壁カバー部８３ａと、ケース蓋体８２側の外周壁１０２の外側に嵌合し且つ凹部１０４ｂ〜１０４ｄを外周側から覆う外周カバー部８３ｂとでケース蓋体８２側が開放する略蓋状に形成されており、ケース蓋体８２の後側に着脱自在に装着されている。
【００４８】
コネクタカバー８３をケース蓋体８２の後側に装着したとき、ケース蓋体８２側の背壁１０１とコネクタカバー８３側の背壁カバー部８３ａとの間には一定の隙間が形成されるようになっており、その隙間は例えばハーネス５８のケーブル部分を配置可能で且つハーネス側コネクタ１０７が通過不能な程度に狭く形成されている。
【００４９】
なお、コネクタカバー８３は、第１凹部１０４ａに対応する部分が内側に凹入しており、この第１凹部１０４ａに配置されている特別読出専用コネクタ５９ａを外部に露出させるようになっている。
【００５０】
また、コネクタカバー８３には、１又は複数、例えば２つのケーブル引出部１１１ａ，１１１ｂが設けられている。これらケーブル引出部１１１ａ，１１１ｂは、基板側コネクタ５９に接続されたハーネス５８のケーブル部分を、凹部１０４ａ〜１０４ｄからケース蓋体８２とコネクタカバー８３との間の隙間を介してコネクタカバー８３の外側に引き出すためのもので、基板側コネクタ５９にハーネス５８を装着した状態でコネクタカバー８３を着脱できるように切欠状に形成されている。
【００５１】
本実施形態では、ケーブル引出部１１１ａ，１１１ｂは、夫々外周カバー部８３ｂ側に形成された外周切欠部１１２ａ，１１２ｂと、背壁カバー部８３ａ側に形成された背壁切欠部１１３ａ，１１３ｂとで形成されており、第１ケーブル引出部１１１ａは第２凹部１０４ｂと第４凹部１０４ｄとの間に対応して右縁部側に、第２ケーブル引出部１１１ｂは第３，第４凹部１０４ｃ，１０４ｄ間、即ちスイッチケース１０９に対応して下縁部側に設けられている。
【００５２】
上述したように、ケース蓋体８２側の背壁１０１とコネクタカバー８３側の背壁カバー部８３ａとの間はハーネス側コネクタ１０７が通過不能な程度に狭く形成されているため、コネクタカバー８３を装着した状態でケーブル引出部１１１ａ，１１１ｂにハーネス側コネクタ１０７を通すことはできない。
【００５３】
なお、ケース蓋体８２側の背壁１０１には、ケーブル引出部１１１ａ，１１１ｂから引き出されたケーブルを案内するための例えば略Ｔ形のケーブル掛具１１４が、背壁切欠部１１３ａ，１１３ｂに対応する位置に後ろ向きに突設されている。
【００５４】
第２係止手段８５は、主制御基板ケース３２に対して第１係止手段８４と同じ側、例えば右端側に設けられており、ケース蓋体８２側に設けられた上下一対の被係合部８５ａと、コネクタカバー８３側に設けられ且つ被係合部８５ａに係脱自在に係合する係合突部８５ｂとで構成されている。
【００５５】
封止手段８６は、ケース本体８１とケース蓋体８２とを閉鎖状態で封止するケース側封止手段としての機能と、コネクタカバー８３をケース本体８１とケース蓋体８２との少なくとも一方に封止するカバー側封止手段としての機能とを併せ持つもので、主制御基板ケース３２における第１，第２係止手段８４，８５とは反対の端部側、例えば左端側に沿って一列状に複数個（ここでは４個）配置され、それら４個の封止手段８６により最大４回までの封止、開封が可能となっている。
【００５６】
各封止手段８６は、図９〜図１１、特に図１１に示すように、ケース蓋体８２側に設けられた封止開口部１１０を介して、その後側に配置されるコネクタカバー８３の背壁カバー部８３ａと、その背壁カバー部８３ａの内面側に固着された封止板１２１と、ケース蓋体８２の前側に配置されるケース本体８１側の例えば外周枠９２の内側に突設された離脱防止板１２２とに跨がって設けられている。
【００５７】
各封止手段８６は、離脱防止板１２２に形成された離脱防止部１２３と、離脱防止板１２２に当接して離脱防止部１２３に対応する封止部１２４と、封止部１２４側から離脱防止部１２３へと貫通して両者を分離不能に封止する封止ピン１２５と、封止前の封止ピン１２５を保持するピン保持部１２６と、封止部１２４及びピン保持部１２６を封止板１２１に一体に接続する損壊部１２７と、コネクタカバー８３の外側から封止ピン１２５を結合方向に押圧操作するための操作用開口部１２８と、損壊部１２７をコネクタカバー８３の外側から切断するための背壁カバー部８３ａ側の切断用開口部１２９とを備え、封止時にピン保持部１２６内の封止ピン１２５を操作用開口部１２８を介して押圧操作することにより、この封止ピン１２５が封止部１２４側から離脱防止部１２３に離脱不能に係合して封止し、またその封止状態で損壊部１２７を切断することにより開封できるようになっている。
【００５８】
離脱防止部１２３は、離脱防止板１２２に形成された封止ピン１２５用の挿通スリット１３１と、この挿通スリット１３１の両側で離脱防止板１２２と一体に形成された一対の弾性係合部１３２とを備え、その各弾性係合部１３２に封止ピン１２５の案内傾斜面が形成されている。なお、離脱防止板１２２には、各挿通スリット１３１の両側に逃げ用スリット１３３が形成され、その隣り合うスリット１３１，１３３間が弾性係合部１３２となっている。
【００５９】
ピン保持部１２６は封止ピン１２５を封止前の状態で保持するためのもので、角形の枠体により構成され、封止板１２１とコネクタカバー８３の嵌合リブ１３５との間に配置されている。ピン保持部１２６は、その上下方向の中間に係合凸部１３６が相対向して設けられ、また先端部に、閉じたときに離脱防止板１２２に当接するように封止部１２４が一体に設けられている。封止部１２４は角形のピン挿通孔１３７を有する。損壊部１２７はニッパー等の切断具で容易に切断可能な板状であって、ピン保持部１２６の上部側中央と封止板１２１とを接続するように一体に形成されている。
【００６０】
封止板１２１には、この封止板１２１の内周側から各損壊部１２７の下方側へと斜めに傾斜する傾斜部１３８が一体に形成されている。この傾斜部１３８は、ピン保持部１２６、封止部１２４及び損壊部１２７をコネクタカバー８３及びケース蓋体８２の内側から覆うと共に、封止状態のときに下端側を離脱防止板１２２上の突条部１３９に当接させて切断用開口部１２９の下方側を塞ぐためのものである。
【００６１】
封止ピン１２５は封止部１２４側から離脱防止板１２２の離脱防止部１２３側に貫通して、ケース蓋体８２側の封止開口部１１０を介してその両側のケース本体８１とコネクタカバー８３とを封止状態に結合するためのもので、封止前の封止ピン１２５はピン保持部１２６内に保持されている。封止ピン１２５は、断面矩形状の軸部１２５ａと、矩形状の係合鍔部１４０と、軸部１２５ａの先端側の台形状の係合頭部１４１と、係合鍔部１４０から上側に突出する円柱状の被操作部１４０ａとを備え、適当な弾性を有する合成樹脂材料により一体に成形されている。
【００６２】
係合鍔部１４０はピン保持部１２６に嵌合する角形状であって、封止前の状態では係合凸部１３６によりピン保持部１２６内に係止され、また封止状態では封止部１２４に上側から係合するようになっている。係合頭部１４１は封止前の状態では封止部１２４のピン挿通孔１３７に嵌合し、また封止状態では離脱防止部１２３の弾性係合部１３２に下側から離脱不能に係合するようになっている。
【００６３】
コネクタカバー８３は、その背壁カバー部８３ａから内側に向けて板状の嵌合枠部１４２が立設されており、隣り合う嵌合枠部１４２間にピン保持部１２６が内側から嵌合している。ピン保持部１２６は嵌合枠部１４２間に所定の間隙をおいて遊嵌しており、損壊部１２７が損壊されて離脱防止板１２２側に結合状態にあるときに、嵌合枠部１４２に対して嵌脱自在である。嵌合枠部１４２は、嵌合リブ１３５及び背壁カバー部８３ａに一体に形成されている。
【００６４】
操作用開口部１２８は、嵌合枠部１４２の中央で背壁カバー部８３ａに形成され、この操作用開口部１２８に封止前の封止ピン１２５の被操作部１４０ａが下側から嵌合している。操作用開口部１２８は封止ピン１２５の被操作部１４０ａに合わせた小径の丸孔であって、各操作用開口部１２８の上側に、上方に向かって円錐面状に広がる案内部１４４が設けられている。
【００６５】
切断用開口部１２９は主制御基板ケース３２を開封するときに、切断具を挿入して損壊部１２７を切断するためのもので、コネクタカバー８３の背壁カバー部８３ａ側に、各損壊部１２７に跨がって長孔状に形成されている。
【００６６】
なお、主制御基板ケース３２の構成部材は、封止手段８６の封止ピン１２５等を除いて、内部を極力視認できるように透明な合成樹脂材料により構成されている。
【００６７】
上記構成のパチンコ機の組み立て工程における主制御基板ケース３２の取り付け時には、まず主制御基板ケース３２を構成するケース本体８１とケース蓋体８２とを主制御基板３１を挟み込んだ状態で結合し、基板ケース装着板６０に装着する。なお、ケース本体８１とケース蓋体８２とを閉鎖状態で仮止めする仮止め手段を、例えば第１係止手段８４とは反対側の端部に設けてもよい。
【００６８】
そして、ハーネス５８のハーネス側コネクタ１０７を、各基板側コネクタ５９に接続すると共に、そのハーネス５８のケーブル部分を、ケーブル引出部１１１ａ，１１１ｂの何れかを通過するように整えた状態で、ケース蓋体８２の後側にコネクタカバー８３を装着し、４つの封止手段８６のうちの１個を用いてケース本体８１とコネクタカバー８３とを閉鎖状態で封止する。
【００６９】
これにより、コネクタ孔１０６はコネクタカバー８３によりハーネス側コネクタ１０７の外側から覆われた状態となり、しかもケーブル引出部１１１ａ，１１１ｂはハーネス側コネクタ１０７が通過不能であるため、封止を解かない限り、基板側コネクタ５９からハーネス側コネクタ１０７を抜き取って不正基板等を接続することは不可能であり、基板側コネクタ５９への不正部品の接続を効果的に防止できる。
【００７０】
なお、コネクタカバー８３を装着して封止した後に主制御基板ケース３２を基板ケース装着板６０に装着してもよい。
【００７１】
以上、本発明の実施形態について詳述したが、本発明はこれらの実施形態に限定されるものではなく、本発明の趣旨を逸脱しない範囲で種々の変更が可能である。例えば、実施形態では、ケース本体８１とケース蓋体８２とを閉鎖状態で封止するケース側封止手段としての機能と、コネクタカバー８３をケース本体８１とケース蓋体８２との少なくとも一方に封止するカバー側封止手段としての機能とを併せ持つ１つの封止手段８６を用いた例を示したが、それらケース側封止手段とカバー側封止手段とを別々に設けてもよい。
【００７２】
また、封止手段は２つの部材を現状復帰不能に封止できるものであればよく、実施形態で示したものに限らず既に知られている種々の構成を採用できる。
【００７３】
コネクタカバー８３に、基板側コネクタ５９に接続されたハーネス側コネクタ１０７の後側に当接又は近接する規制部を設け、コネクタカバー８３が装着された状態ではハーネス側コネクタ１０７が基板側コネクタ５９から抜けないようにしてもよい。
【００７４】
本発明は、主制御基板３１を格納する主制御基板ケース３２の他、封止手段を備えた各種基板ケースについても同様に適用可能である。また、実施形態では本発明をパチンコ機に適用した例を示したが、アレンジボール機、スロットマシン等の各種遊技機において同様に実施可能であることは言うまでもない。
【符号の説明】
【００７５】
３１    主制御基板（基板）
３２    主制御基板ケース（基板ケース）
５８    ハーネス
５９    基板側コネクタ
８１    ケース本体
８２    ケース蓋体
８３    コネクタカバー
８６    封止手段（カバー側封止手段，ケース側封止手段）
１０６    コネクタ孔
１０７    ハーネス側コネクタ
１１０    封止開口部
１１１ａ  第１ケーブル引出部（ケーブル引出部）
１１１ｂ  第２ケーブル引出部（ケーブル引出部）
【図１】
2010057975.tif 000003
【図２】
2010057975.tif 000004
【図３】
2010057975.tif 000005
【図４】
2010057975.tif 000006
【図５】
2010057975.tif 000007
【図６】
2010057975.tif 000008
【図７】
2010057975.tif 000009
【図８】
2010057975.tif 000010
【図９】
2010057975.tif 000011
【図１０】
2010057975.tif 000012
【図１１】
2010057975.tif 000013
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
ケース本体（８１）とケース蓋体（８２）とで開閉可能に構成され且つ内部に基板（３１）を格納可能な基板ケース（３２）と、前記ケース本体（８１）と前記ケース蓋体（８２）とを閉鎖状態で封止するケース側封止手段（８６）とを備え、前記ケース蓋体（８２）には、前記基板（３１）の表面側に設けられた基板側コネクタ（５９）に対応する開口状のコネクタ孔（１０６）が形成され、所定のハーネス（５８）に設けられたハーネス側コネクタ（１０７）を前記コネクタ孔（１０６）を介して前記基板側コネクタ（５９）に接続可能に構成された遊技機において、前記コネクタ孔（１０６）を前記ハーネス側コネクタ（１０７）の外側から覆うコネクタカバー（８３）と、該コネクタカバー（８３）を、前記基板ケース（３２）側に封止するカバー側封止手段（８６）とを備え、前記ケース蓋体（８２）上で且つ前記基板（３１）の前記表面に対向する背壁（１０１）と、前記コネクタカバー（８３）上で且つ前記背壁（１０１）の後側に配置される背壁カバー部（８３ａ）との間に、前記ハーネス側コネクタ（１０７）が通過不能な隙間が形成されており、前記ハーネス（５８）はそのケーブル部分が前記隙間に通されて前記コネクタカバー（８３）上のケーブル引出部（１１１ａ）（１１１ｂ）から引き出されており、前記背壁（１０１）上に、前記ケーブル引出部（１１１ａ）（１１１ｂ）から引き出されたケーブルを案内するためのケーブル掛具（１１４）を設けたことを特徴とする遊技機。
【請求項２】
前記ケース側封止手段と前記カバー側封止手段とを共通の封止手段（８６）により構成し、該封止手段（８６）を、前記ケース蓋体（８２）に設けられた封止開口部（１１０）を経て前記コネクタカバー（８３）を前記ケース本体（８１）に封止するように構成したことを特徴とする請求項１に記載の遊技機。
【請求項３】
前記ケース側封止手段と前記カバー側封止手段とを別個に設け、前記カバー側封止手段は、前記コネクタカバー（８３）を前記ケース本体（８１）と前記ケース蓋体（８２）との少なくとも一方に封止するように構成したことを特徴とする請求項１に記載の遊技機。
【手続補正２】
【補正対象書類名】明細書
【補正対象項目名】０００８
【補正方法】変更
【補正の内容】
【０００８】
本発明は、ケース本体８１とケース蓋体８２とで開閉可能に構成され且つ内部に基板３１を格納可能な基板ケース３２と、前記ケース本体８１と前記ケース蓋体８２とを閉鎖状態で封止するケース側封止手段８６とを備え、前記ケース蓋体８２には、前記基板３１の表面側に設けられた基板側コネクタ５９に対応する開口状のコネクタ孔１０６が形成され、所定のハーネス５８に設けられたハーネス側コネクタ１０７を前記コネクタ孔１０６を介して前記基板側コネクタ５９に接続可能に構成された遊技機において、前記基板ケース３２は、前記コネクタ孔１０６を前記ハーネス側コネクタ１０７の外側から覆うコネクタカバー８３と、該コネクタカバー８３を、前記ケース本体８１とケース蓋体８２との少なくとも一方に封止するカバー側封止手段８６とを備え、前記ケース蓋体８２上で且つ前記基板３１の前記表面に対向する背壁１０１と、前記コネクタカバー８３上で且つ前記背壁１０１の後側に配置される背壁カバー部８３ａとの間に、前記ハーネス側コネクタ１０７が通過不能な隙間が形成されており、前記ハーネス５８はそのケーブル部分が前記隙間に通されて前記コネクタカバー８３上のケーブル引出部１１１ａ，１１１ｂから引き出されており、前記背壁１０１上に、前記ケーブル引出部１１１ａ，１１１ｂから引き出されたケーブルを案内するためのケーブル掛具１１４を設けたものである。